【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
マルチノード・ネットワークに設けられるコンピューティング・システム・ノードにおいて時刻（ＴＯＤ）クロックを較正するための方法であって、前記ネットワークがコンピューティング・デバイスのインフラストラクチャを含み、前記デバイスが各々、共通の発振器に対して段階的に進む動作を実行するためのタイム・ベースを提供する物理クロックを有し、前記方法が、
（ａ）前記ネットワークにおけるコンピューティング・デバイスのタイミング値のサンプルを取得するステップであって、前記値が、前記デバイスに維持される物理クロック値およびＴＯＤオフセット総合値を含む、ステップと、
（ｂ）前記サンプルから発振器スキュー値を計算するステップと、
（ｃ）前記計算した発振器スキュー値の逆に等しく微細ステアリング・レート値を設定するステップと、
（ｄ）前記微細ステアリング・レート値を利用して前記物理クロック値を調整し、前記コンピューティング・デバイスにおける前記発振器の水晶体において生じる潜在的な発振器スキュー誤差を補正するステップと、
を含む、方法。
【請求項２】
前記ＴＯＤオフセット総合値が、
物理クロック値に付加されて前記ノードにおける基本マシンＴＯＤクロックを取得するＴＯＤオフセット値成分と、
プライマリ・リファレンス・タイム（ＰＲＴ）・オフセット値成分と、
前記ノードにおけるコンピューティング・デバイスにおいて維持される調整サーバ・タイム（ＣＳＴ）・オフセット値成分と、
を含む、請求項１に記載の方法。
【請求項３】
前記マルチノード・ネットワークが、接続されたデバイスの階層を含み、第１のデバイスが、１次コンピューティング・デバイスを含み、これが、結合リンクを介して取り付けられた複数の２次コンピューティング・デバイスを同期させるためのタイム・ベースを提供する、請求項２に記載の方法。
【請求項４】
前記マルチノード・ネットワークが、結合リンクを介して１つ以上の２次コンピューティング・デバイスに取り付けられた複数の３次コンピューティング・デバイスを含み、前記１つ以上の２次デバイスが、前記ネットワークにおける前記複数の３次コンピューティング・デバイスを同期させるためのタイム・ベースを提供する、請求項３に記載の方法。
【請求項５】
前記ノードが１次コンピューティング・デバイスであり、前記１次コンピューティング・デバイスにおいて維持される前記ＣＳＴオフセットがゼロに等しい、請求項３に記載の方法。
【請求項６】
前記発振器のスキュー・コンピューティングが、最小二乗適合アルゴリズムを適用することを含む、請求項１に記載の方法。
【請求項７】
前記適用された最小二乗適合アルゴリズムが、以下に従って前記発振器スキューを計算し、
【数１】
2007078688.tif 000001
ここで、ＸｉおよびＹｉが、前記サンプルを走査することによって計算され、ここでＸｉ＝ｉ番目のサンプルからの物理クロック−サンプル１からの物理クロックであり、Ｙｉ＝ｉ番目のサンプルからの「ＴＯＤオフセット総合」値−サンプル１からの「ＴＯＤオフセット総合」値である、請求項６に記載の方法。
【請求項８】
前記計算した発振器スキューの分散値を計算するステップを更に含み、前記分散が以下に等しく、
【数２】
2007078688.tif 000002
ここで、前記「サンプル・セットからの最大ばらつき値」が、データ・アレイにおける前記サンプルの最大ばらつき値の組み合わせを含む値である、請求項７に記載の方法。
【請求項９】
前記計算した変動から発振器スキューばらつき値を計算する分散値を計算するステップを更に含み、前記発振器スキューばらつき値が、以下に従って計算され、
発振器スキューばらつき＝３＊標準偏差＊倍率
ここで、前記標準偏差が前記変動の平方根であり、前記倍率がスケーリング・ファクタである、請求項８に記載の方法。
【請求項１０】
前記発振器スキュー値が所定の範囲内にあるか否かを判定するステップと、
前記発振器スキュー値がこの範囲外にある場合、エラーの指示を与えるステップと、
を更に含む、請求項９に記載の方法。
【請求項１１】
前記発振器スキュー値が所定の範囲内にあるか否かを判定する前記ステップが、以下の、
｜（発振器スキュー）｜−「発振器スキューばらつき」＞２ｐｐｍ
を計算することを更に含む、請求項９に記載の方法。
【請求項１２】
マルチノード・ネットワークに設けられるコンピューティング・システム・ノードにおいて時刻（ＴＯＤ）クロックを較正するための装置であって、前記ネットワークがコンピューティング・デバイスのインフラストラクチャを含み、前記デバイスが各々、共通の発振器に対して段階的に進む動作を実行するためのタイム・ベースを提供する物理クロックを有し、前記装置が、
前記ネットワークにおけるコンピューティング・デバイスのタイミング値のサンプルを取得するための手段であって、前記値が、前記デバイスに維持される物理クロック値およびＴＯＤオフセット総合値を含む、手段と、
前記サンプルから発振器スキュー値を計算するための手段と、
前記計算した発振器スキュー値の逆に等しく微細ステアリング・レート値を設定するための手段であって、前記微細ステアリング・レート値を利用して前記物理クロック値を調整し、前記コンピューティング・デバイスにおける前記発振器の水晶体において生じる潜在的な発振器スキュー誤差を補正する、手段と、
を含む、装置。
【請求項１３】
前記ＴＯＤオフセット総合値が、
物理クロック値に付加されて前記ノードにおける基本マシンＴＯＤクロックを取得するＴＯＤオフセット値成分と、
プライマリ・リファレンス・タイム（ＰＲＴ）・オフセット値成分と、
前記ノードにおけるコンピューティング・デバイスにおいて維持される調整サーバ・タイム（ＣＳＴ）・オフセット値成分と、
を含む、請求項１２に記載の装置。
【請求項１４】
前記マルチノード・ネットワークが、接続されたデバイスの階層を含み、第１のデバイスが、１次コンピューティング・デバイスを含み、これが、結合リンクを介して取り付けられた複数の２次コンピューティング・デバイスを同期させるためのタイム・ベースを提供する、請求項１３に記載の装置。
【請求項１５】
前記マルチノード・ネットワークが、結合リンクを介して１つ以上の２次コンピューティング・デバイスに取り付けられた複数の３次コンピューティング・デバイスを含み、前記１つ以上の２次デバイスが、前記ネットワークにおける前記複数の３次コンピューティング・デバイスを同期させるためのタイム・ベースを提供する、請求項１４に記載の装置。
【請求項１６】
前記ノードが１次コンピューティング・デバイスであり、前記１次コンピューティング・デバイスにおいて維持される前記ＣＳＴオフセットがゼロに等しい、請求項１４に記載の装置。
【請求項１７】
前記発振器スキュー値を計算するための手段が、最小二乗適合アルゴリズムを適用する、請求項１２に記載の装置。
【請求項１８】
前記適用された最小二乗適合アルゴリズムが、以下に従って前記発振器スキューを計算し、
【数３】
2007078688.tif 000003
ここで、ＸｉおよびＹｉが、前記サンプルを走査することによって計算され、ここでＸｉ＝ｉ番目のサンプルからの物理クロック−サンプル１からの物理クロックであり、Ｙｉ＝ｉ番目のサンプルからの「ＴＯＤオフセット総合」値−サンプル１からの「ＴＯＤオフセット総合」値である、請求項１７に記載の装置。
【請求項１９】
前記計算した発振器スキューの分散値を計算するための手段を更に含み、前記分散が以下に等しく、
【数４】
2007078688.tif 000004
ここで、前記「サンプル・セットからの最大ばらつき値」が、データ・アレイにおける前記サンプルの最大ばらつき値の組み合わせを含む値である、請求項１８に記載の装置。
【請求項２０】
前記計算した変動から発振器スキューばらつき値を計算する分散値を計算するための手段を更に含み、前記発振器スキューばらつき値が、以下に従って計算され、
発振器スキューばらつき＝３＊標準偏差＊倍率
ここで、前記標準偏差が前記変動の平方根であり、前記倍率がスケーリング・ファクタである、請求項１９に記載の装置。